【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】  被写体像を撮像して画像を生成する撮像手段と、
前記撮像手段により生成された前記画像に前記撮像が行われた日付を書き込むか否かを選択する選択手段と、
前記選択手段により前記日付の書き込みが選択されると、前記日付の書き込みを行う書込手段と、
前記画像に関して、印刷指定情報を作成する作成手段と、
前記作成手段により前記印刷指定情報を作成する際に、作成対象の前記画像に、前記書込手段により前記日付が書き込まれているか否かを判定する判定手段と、
前記判定手段により前記日付が書き込まれていると判定されると、前記印刷指定情報に前記撮像が行われた日付が含まれる場合には、前記印刷指定情報から前記日付を削除する変更手段と、
前記画像と前記印刷指定情報とを対応づけて記録する記録手段と
を備えたことを特徴とする電子カメラ。
【請求項２】  請求項１に記載の電子カメラにおいて、
前記撮像手段により生成された複数の画像について、前記作成手段が同時に前記印刷指定情報を作成する場合に、前記判定手段は、前記複数の画像のそれぞれについて、前記判定を行い、
前記変更手段は、前記複数の画像のうち、前記判定手段により前記日付が書き込まれていると判定された画像について、前記画像の前記印刷指定情報に前記撮像が行われた日付が含まれる場合には、前記印刷指定情報から前記日付を削除する
ことを特徴とする電子カメラ。
【請求項３】  被写体像を撮像して画像を生成する撮像手段と、
前記撮像手段により生成された前記画像に前記撮像が行われた日付を書き込むか否かを選択する選択手段と、
前記選択手段により前記日付の書き込みが選択されると、前記日付の書き込みを行う書込手段と、
前記画像に関して、印刷指定情報を作成する作成手段と、
前記作成手段により前記印刷指定情報を作成する際に、作成対象の前記画像に、前記書込手段により前記日付が書き込まれているか否かを判定する判定手段と、
前記判定手段により前記日付が書き込まれていないと判定されると、前記印刷指定情報と前記画像とを対応づけて記録し、前記判定手段により前記日付が書き込まれていると判定されると、前記印刷指定情報に前記撮像が行われた日付が含まれる場合には、前記撮像が行われた日付を除く前記印刷指定情報と前記画像とを対応づけて記録する記録手段と
を備えたことを特徴とする電子カメラ。
【請求項４】  請求項３に記載の電子カメラにおいて、
前記撮像手段により生成された複数の画像について、前記作成手段が同時に前記印刷指定情報を作成する場合に、前記判定手段は、前記複数の画像のそれぞれについて、前記判定を行い、
前記記録手段は、前記複数の画像のうち、前記判定手段により前記日付が書き込まれていると判定された画像について、前記画像の前記印刷指定情報に前記撮像が行われた日付が含まれる場合には、前記撮像が行われた日付を除く前記印刷指定情報と前記画像とを対応づけて記録する
ことを特徴とする電子カメラ。
【請求項５】  請求項１または請求項２に記載の電子カメラにおいて、
撮像時の構図確認用画像と、撮像結果確認用画像と、一覧表示用のサムネイル画像との少なくとも一つを生成する生成手段をさらに備え、
前記書込手段は、前記生成手段により生成された前記構図確認用画像と、前記撮像結果確認用画像と、前記サムネイル画像との少なくとも一つに前記日付の書き込みを行う
ことを特徴とする電子カメラ。
【請求項６】  被写体像を撮像して画像を生成する撮像手段と、
前記撮像手段により生成された前記画像に前記撮像が行われた日付を書き込むか否かを選択する選択手段と、
前記選択手段により前記日付の書き込みが選択されると、前記日付の書き込みを行う書込手段と、
前記画像に関して、印刷指定情報を作成する作成手段と、
前記作成手段により前記印刷指定情報を作成する際に、作成対象の前記画像に、前記書込手段により前記日付が書き込まれているか否かを判定する判定手段と、
前記判定手段により前記日付が書き込まれていると判定されると、前記印刷指定情報に基づく前記日付の印刷が行われないように前記印刷指定情報を設定する設定手段と、
前記画像と前記印刷指定情報とを対応づけて記録する記録手段と
を備えたことを特徴とする電子カメラ。
【請求項７】  被写体像を撮像して画像を生成する撮像手段と、
前記撮像手段により生成された前記画像に前記撮像が行われた日付を書き込むか否かを選択する選択手段と、
前記選択手段により前記日付の書き込みが選択されると、前記日付の書き込みを行う書込手段と、
前記画像に関して、印刷指定情報を作成する作成手段と、
前記作成手段により前記印刷指定情報を作成する際に、作成対象の前記画像に、前記書込手段により前記日付が書き込まれているか否かを判定する判定手段と、
前記判定手段により前記日付が書き込まれていると判定されると、前記印刷指定情報に基づく前記日付の印刷位置を変更するよう前記印刷指定情報を設定する設定手段と、
前記画像と前記印刷指定情報とを対応づけて記録する記録手段と
を備えたことを特徴とする電子カメラ。
【手続補正２】
【補正対象書類名】明細書
【補正対象項目名】０００６
【補正方法】変更
【補正の内容】
【０００６】
【課題を解決するための手段】
本発明の電子カメラは、被写体像を撮像して画像を生成する撮像手段と、前記撮像手段により生成された前記画像に前記撮像が行われた日付を書き込むか否かを選択する選択手段と、前記選択手段により前記日付の書き込みが選択されると、前記日付の書き込みを行う書込手段と、前記画像に関して、印刷指定情報を作成する作成手段と、前記作成手段により前記印刷指定情報を作成する際に、作成対象の前記画像に、前記書込手段により前記日付が書き込まれているか否かを判定する判定手段と、前記判定手段により前記日付が書き込まれていると判定されると、前記印刷指定情報に前記撮像が行われた日付が含まれる場合には、前記印刷指定情報から前記日付を削除する変更手段と、前記画像と前記印刷指定情報とを対応づけて記録する記録手段とを備えたことを特徴とする。
【手続補正３】
【補正対象書類名】明細書
【補正対象項目名】０００７
【補正方法】変更
【補正の内容】
【０００７】
なお、好ましくは、前記撮像手段により生成された複数の画像について、前記作成手段が同時に前記印刷指定情報を作成する場合に、前記判定手段は、前記複数の画像のそれぞれについて、前記判定を行い、前記変更手段は、前記複数の画像のうち、前記判定手段により前記日付が書き込まれていると判定された画像について、前記画像の前記印刷指定情報に前記撮像が行われた日付が含まれる場合には、前記印刷指定情報から前記日付を削除しても良い。
【手続補正４】
【補正対象書類名】明細書
【補正対象項目名】０００８
【補正方法】変更
【補正の内容】
【０００８】
本発明の別の電子カメラは、被写体像を撮像して画像を生成する撮像手段と、前記撮像手段により生成された前記画像に前記撮像が行われた日付を書き込むか否かを選択する選択手段と、前記選択手段により前記日付の書き込みが選択されると、前記日付の書き込みを行う書込手段と、前記画像に関して、印刷指定情報を作成する作成手段と、前記作成手段により前記印刷指定情報を作成する際に、作成対象の前記画像に、前記書込手段により前記日付が書き込まれているか否かを判定する判定手段と、前記判定手段により前記日付が書き込まれていないと判定されると、前記印刷指定情報と前記画像とを対応づけて記録し、前記判定手段により前記日付が書き込まれていると判定されると、前記印刷指定情報に前記撮像が行われた日付が含まれる場合には、前記撮像が行われた日付を除く前記印刷指定情報と前記画像とを対応づけて記録する記録手段とを備えたことを特徴とする。
【手続補正５】
【補正対象書類名】明細書
【補正対象項目名】０００９
【補正方法】変更
【補正の内容】
【０００９】
なお、好ましくは、前記撮像手段により生成された複数の画像について、前記作成手段が同時に前記印刷指定情報を作成する場合に、前記判定手段は、前記複数の画像のそれぞれについて、前記判定を行い、前記記録手段は、前記複数の画像のうち、前記判定手段により前記日付が書き込まれていると判定された画像について、前記画像の前記印刷指定情報に前記撮像が行われた日付が含まれる場合には、前記撮像が行われた日付を除く前記印刷指定情報と前記画像とを対応づけて記録しても良い。
【手続補正６】
【補正対象書類名】明細書
【補正対象項目名】００１０
【補正方法】変更
【補正の内容】
【００１０】
また、好ましくは、撮像時の構図確認用画像と、撮像結果確認用画像と、一覧表示用のサムネイル画像との少なくとも一つを生成する生成手段をさらに備え、前記書込手段は、前記生成手段により生成された前記構図確認用画像と、前記撮像結果確認用画像と、前記サムネイル画像との少なくとも一つに前記日付の書き込みを行っても良い。
本発明の別の電子カメラは、被写体像を撮像して画像を生成する撮像手段と、前記撮像手段により生成された前記画像に前記撮像が行われた日付を書き込むか否かを選択する選択手段と、前記選択手段により前記日付の書き込みが選択されると、前記日付の書き込みを行う書込手段と、前記画像に関して、印刷指定情報を作成する作成手段と、前記作成手段により前記印刷指定情報を作成する際に、作成対象の前記画像に、前記書込手段により前記日付が書き込まれているか否かを判定する判定手段と、前記判定手段により前記日付が書き込まれていると判定されると、前記印刷指定情報に基づく前記日付の印刷が行われないように前記印刷指定情報を設定する設定手段と、前記画像と前記印刷指定情報とを対応づけて記録する記録手段とを備えたことを特徴とする。
本発明の別の電子カメラは、被写体像を撮像して画像を生成する撮像手段と、前記撮像手段により生成された前記画像に前記撮像が行われた日付を書き込むか否かを選択する選択手段と、前記選択手段により前記日付の書き込みが選択されると、前記日付の書き込みを行う書込手段と、前記画像に関して、印刷指定情報を作成する作成手段と、前記作成手段により前記印刷指定情報を作成する際に、作成対象の前記画像に、前記書込手段により前記日付が書き込まれているか否かを判定する判定手段と、前記判定手段により前記日付が書き込まれていると判定されると、前記印刷指定情報に基づく前記日付の印刷位置を変更するよう前記印刷指定情報を設定する設定手段と、前記画像と前記印刷指定情報とを対応づけて記録する記録手段とを備えたことを特徴とする。